(57)【要約】【課題】ＩＭＳにアクセスする方法及びシステムを提供すること。【解決手段】加入者(UE)にＩＰマルチメディアサブシステム(IMS)へのアクセスを与える方法は、ホームインターフェイスエンティティ(HGGSN)に、アクセス通信ネットワーク(AN)を識別するアクセスネットワークデータ(MCC', MNC')を与える段階と、アクセスネットワークデータ(MCC', MNC')を含むメッセージをホームインターフェイスエンティティ(HGGSN)からサービング手段(HSS)に送信する段階と、ホームネットワークデータ(MCC,MNC)とアクセスネットワークデータ(MCC', MNC')とを比較する段階と、該比較する段階の結果が偽である場合、１組の規定の基準に基づいて加入者(UE)にローミングが許されるかをチェックする段階と、該チェックする段階の結果が真である場合、アクセスネットワークデータ(MCC', MNC')を含むメッセージをコール状態制御ファンクション手段(CSCF)に送信する段階と、を含む。【選択図】図１
2007251977.tif 000002
【特許請求の範囲】
【請求項１】
アクセス通信ネットワーク(AN)で通信している加入者(UE)であって、該加入者(UE)のホーム通信ネットワーク(HN)に位置するホームインターフェイスエンティティ(HGGSN)を通してＩＰマルチメディアサブシステム(IMS)へのアクセスを要求している加入者(UE)に対して、前記ＩＰマルチメディアサブシステム(IMS)へのアクセスを与える方法であって、該ＩＰマルチメディアサブシステム(IMS)が、前記ホーム通信ネットワーク(HN)に位置され、さらに、前記加入者(UE)のプロフィールデータ及び前記ホーム通信ネットワーク(HN)のホームネットワークデータ(MCC,MNC)を記憶するホーム加入者用のサービング手段(HSS)と、前記ＩＰマルチメディアサブシステム(IMS)内のサービスコールを制御するコール状態制御ファンクション手段(CSCF)とを備えている方法において、
前記ホームインターフェイスエンティティ(HGGSN)に、前記アクセス通信ネットワーク(AN)を識別するアクセスネットワークデータ(MCC', MNC')を与える段階と、
前記アクセスネットワークデータ(MCC', MNC')を含むメッセージを前記ホームインターフェイスエンティティ(HGGSN)から前記サービング手段(HSS)へ送信する段階と、
前記ホームネットワークデータ(MCC,MNC)と、前記アクセスネットワークデータ(MCC', MNC')とを比較する段階と、
該比較する段階の結果が偽であるときに、１組の規定の基準に基づいて、前記加入者(UE)にローミングが許されるかどうかチェックする段階と、
該チェックする段階の結果が真であるときに、前記アクセスネットワークデータ(MCC', MNC')を含むメッセージを前記コール状態制御ファンクション手段(CSCF)の少なくとも１つへ送信する段階と、
を含むことを特徴とする方法。
【請求項２】
前記ホームネットワークデータ(MCC,MNC)と、前記アクセスネットワークデータ(MCC', MNC')とが不一致であるときには、前記比較する段階の結果が偽である、請求項１に記載のＩＰマルチメディアサブシステム(IMS)へのアクセスを与える方法。
【請求項３】
前記ホームネットワークデータ(MCC,MNC)及び前記アクセスネットワークデータ(MCC', MNC')が、少なくとも各々の移動国コード(MCC, MCC')を含み、前記比較する段階の結果が、前記移動国コード(MCC, MCC')が異なるときに偽となる、請求項１又は２に記載のＩＰマルチメディアサブシステム(IMS)へのアクセスを与える方法。
【請求項４】
前記ホームネットワークデータ(MCC,MNC)及び前記アクセスネットワークデータ(MCC', MNC')が、各々の移動ネットワークコード(MNC, MNC')を含み、前記比較する段階の結果が、前記移動国コード(MCC, MCC')が一致し且つ前記移動ネットワークコード(MNC, MNC')が異なるときに偽となる、請求項１又は２に記載のＩＰマルチメディアサブシステム(IMS)へのアクセスを与える方法。
【請求項５】
前記チェックする段階が、前記アクセスネットワークデータ(MCC', MNC')を、許されたアクセスネットワークデータの規定のリストと比較する段階を含む、請求項１から４のいずれかに記載のＩＰマルチメディアサブシステム(IMS)へのアクセスを与える方法。
【請求項６】
前記チェックする段階の結果が偽であるときに前記加入者ターミナルへエラーメッセージを送信する段階を更に含む、請求項１から５のいずれかに記載のＩＰマルチメディアサブシステム(IMS)へのアクセスを与える方法。
【請求項７】
前記与える段階の前に、前記ＩＰマルチメディアサブシステム(IMS)へ登録するための登録メッセージを、前記加入者ターミナルから前記コール状態制御ファンクション手段(CSCF)の少なくとも１つへ送信する段階を含む、請求項１から６のいずれかに記載のＩＰマルチメディアサブシステム(IMS)へのアクセスを与える方法。
【請求項８】
前記比較する段階の前に、前記アクセスネットワークデータ(MCC', MNC')を前記サービング手段(HSS)に記憶する段階を含む、請求項１から７のいずれかに記載のＩＰマルチメディアサブシステム(IMS)へのアクセスを与える方法。
【請求項９】
前記加入者(UE)が、サービングサポートエンティティ(SGSN)を通して前記アクセス通信ネットワーク(AN)と通信する、請求項１から８のいずれかに記載のＩＰマルチメディアサブシステム(IMS)へのアクセスを与える方法。
【請求項１０】
前記与える段階が、前記サービングサポートエンティティ(SGSN)から前記アクセスネットワークデータ(MCC', MNC')を前記インターフェイスエンティティ(HGGSN)において受け取る段階を含む、請求項９に記載のＩＰマルチメディアサブシステム(IMS)へのアクセスを与える方法。
【請求項１１】
前記インターフェイスエンティティ(HGGSN)が、複数のＩＰアドレス(IPn)と、それに対応する複数のネットワークデータ(MCCn, MNCn)とを記憶するための記憶手段を備え、
前記与える段階が、
前記サービングサポートエンティティ(SGSN)のＩＰアドレス(IP)を前記インターフェイスエンティティ(HGGSN)において受け取る段階と、
前記サービングサポートエンティティ(SGSN)の前記ＩＰアドレス(IP)に前記アクセスネットワークデータ(MCC', MNC')を関連付ける段階と、
を含む、請求項９に記載のＩＰマルチメディアサブシステム(IMS)へのアクセスを与える方法。
【発明の詳細な説明】
【技術分野】
【０００１】
本発明は、請求項１のプリアンブル部分に係るアクセス通信ネットワークで通信している加入者に対してＩＰマルチメディアサブシステムへのアクセスを与える方法に係る。
【背景技術】
【０００２】
移動通信ネットワークＧＳＭは、交換回路（ＣＳ）接続に基づいて設計されている。ＧＰＲＳ（汎用パケット無線サービス）の出現は、移動ターミナル及びネットワークサーバーからのパケット交換（ＰＳ）接続を導入した。しかしながら、ユーザにオファーされるサービスは、まだ、ネットワークオペレータにより決定されている。
【０００３】
第三世代パートナーシッププロジェクト（３ＧＰＰ）は、インターネットプロトコル（ＩＰ）マルチメディアサブシステム即ちＩＭＳとして知られている新規な標準アーキテクチャーであって、パケット交換ベースのドメインにおいてエンドユーザにマルチメディアサービスをオファーし、それにより、ＩＭＳサービスへアクセスするネットワークオペレータが、ＩＭＳによりオファーされるサービスを制御するようにしたものを規定した。
【０００４】
ＩＭＳは、ネットワークがそのサービスへのアクセスを要求する程度に対してアクセス寛容性があり、マルチアクセス環境において、ＩＭＳへのアクセスを要求する特定ユーザ又はアクセスネットワークの制限を受けて、全てのアクセスネットワークへのサービス利用性を保証する。
【０００５】
ＩＭＳアーキテクチャーのコアネットワークは、データベース要素及びＩＭＳ制御要素を備えている。
ホーム加入者サーバー（ＨＳＳ）は、ＩＭＳのメインデータベース要素であり、ユーザ識別、ナンバリング、アドレッシング、セキュリティ、位置管理、及びユーザプロフィール情報のようなユーザ関連データを保持する役割を果たす。
【０００６】
ＩＭＳ制御要素は、コールセッション制御ファンクション（ＣＳＣＦ）サーバーであり、これは、プロキシー−ＣＳＣＦ（Ｐ−ＣＳＣＦ）と、サービング−ＣＳＣＦ（Ｓ−ＣＳＣＦ）と、質問−ＣＳＣＦ（Ｉ−ＣＳＣＦ）とを備えている。Ｐ−ＣＳＣＦは、ＩＭＳ内のユーザに対する第１コンタクトポイントで、メッセージ、特に、セッションイニシャルプロトコル（ＳＩＰ）メッセージをユーザから他のＣＳＣＦ要素へ転送する役割を果たす。Ｓ−ＣＳＣＦは、登録、登録されたエンドポイントに対するセッション制御、ＩＭＳのサービスプラットホーム／アプリケーションサーバーとの対話、及び登録されたユーザに対するＨＳＳへのインターフェイスを遂行する。Ｉ−ＣＳＣＦは、外部ネットワークに対するコンタクトポイントで、ＨＳＳから適切なＳ−ＣＳＣＦを見つける役割を果たす。
【０００７】
ＩＭＳローミングにおいて、ユーザが登録された訪問先移動テレコミュニケーションネットワークのパケットネットワークリソースは、ホーム移動ネットワーク（ＨＰＬＭＮ）又は訪問先移動ネットワーク（ＶＰＬＭＮ）に存在するＩＭＳコアネットワークにユーザを接続するのに使用される。いずれの場合にも、ＩＭＳの全てのコア要素は、常に、ホームネットワークに位置され、そして加入者は、常に、ＨＳＳへのインターフェイス及び課金の目的でホームネットワークのＳ−ＣＳＣＦに登録される。
【０００８】
ＩＭＳ加入者は、自分のホームＧＰＲＳ／ＩＭＳネットワークに位置するときには、ゲートウェイＧＰＲＳサポートノード（ＧＧＳＮ）のようなホームネットワークアクセスポイントを通してＩＭＳサービスにアクセスする。
【０００９】
ＩＭＳによりサポートされるローミングシナリオは、ローミング加入者がホームネットワークアクセスポイントＨＧＧＳＮを使用してＩＭＳサービスにアクセスするいわゆるホームＧＧＳＮ（ＨＧＧＳＮ）モデルである。このシナリオでは、加入者が訪問先ネットワークのもとに位置する間に、ユーザ平面及び制御平面データが、加入者のホームネットワークに位置するＨＧＧＳＮを経て送信される。
【００１０】
これは、ＩＭＳサービスにアクセスするためのアクセスポイントＨＧＧＳＮがホームネットワークにあり、そしてホーム及び訪問先ネットワークのオペレータ間バックボーンネットワークを横切ってＧＰＲＳトンネリングプロトコル（ＧＴＰ）が使用される典型的なＧＰＲＳローミング状態である。
【００１１】
オペレータに対する重要なビジネス要求の１つは、ローミング状態にあるユーザであって、出て行くローミング者と、入って来るローミング者の両方に対して適切な料率を適用することである。特に、その要求は、ユーザがローミング状態にあるかどうか識別し、最終的には、どのネットワークにおいてユーザが実際にローミングしているか識別することである。この要求は、３ＧＰＰでも他の規格でも特に対処されていない。
【発明の開示】
【発明が解決しようとする課題】
【００１２】
ＨＧＧＳＮで発生された課金情報と、ＩＭＳで発生された課金情報を相関させることで、問題回避が可能となる。しかしながら、これは、最終的に、オフラインの課金について機能するが、オンラインの課金については機能しない。というのは、相関プロセスをリアルタイムで遂行する能力を有するＯＣＳ（オンライン課金システム）がないからである。
【００１３】
それ故、本発明の目的は、上述した問題を解消するようにＩＭＳへアクセスするための方法及びシステムを提供することである。
【課題を解決するための手段】
【００１４】
本発明によれば、この目的は、請求項１に記載の方法により達成される。
本発明による方法は、ＩＭＳコアネットワークが、加入者のローミング状態に気付き、最終的に、どのネットワークに加入者が位置しているか気付くようにする。更に、ローミング情報をＩＭＳコアネットワーク内に伝播させ且つＩＭＳのサービスレイヤに存在するアプリケーションサーバーへ伝播させるメカニズムは、ＩＭＳネットワークの全ての当該エンティティに、ローミングに気付かせるよう保証する。
【００１５】
ＩＭＳがローミングに気付くようになると、ローミングの状態に基づき、そして結局は、加入者が現在位置する訪問先ネットワークに基づいて、ユーザがＩＭＳ及びＩＭＳサービスにアクセスするのを許可することができる。最終的に、ＩＭＳの最上部に展開される全てのサービスに対して、ローミング情報に基づく差別的課金が可能となる。
【００１６】
更に、ここに提案する解決策は、課金アーキテクチャー及び方法、即ちオンライン課金であるかオフライン課金であるかに関わらず、機能する。
【発明を実施するための最良の形態】
【００１７】
以下、添付図面を参照して、本発明の好ましい実施形態を詳細に説明する。
添付図面を参照すれば、加入者ＵＥは、アクセス通信ネットワークＡＮ、例えば、移動ＧＰＲＳ又はＵＭＴＳテレコミュニケーションネットワークにおいて、移動ターミナルＭＴにより通信し、加入者ＵＥのホーム通信ネットワークＨＮに位置するインターフェイスエンティティＨＧＧＳＮを経てＩＰマルチメディアサブシステムＩＭＳへのアクセスを要求する。
【００１８】
この例では、インターフェイスエンティティＨＧＧＳＮは、ゲートウェイＧＰＲＳサポートノードである。
サービングＧＰＲＳサポートノードのようなサービングサポートエンティティＳＧＳＮは、アクセスネットワークＡＮに関連付けられ、そして加入者ＵＥとアクセスネットワークＡＮとの間でパケットデータを送信するのを許す。
【００１９】
ＩＰマルチメディアサブシステムＩＭＳは、加入者ＵＥのホームネットワークＨＮに位置され、そして加入者ＵＥのプロフィールデータ及びホーム通信ネットワークＨＮのホームネットワークデータを記憶するホーム加入者用のサービング手段ＨＳＳと、ＩＰマルチメディアサブシステムＩＭＳ内のサービスコールを制御するためのコール状態制御ファンクション手段ＣＳＣＦとを備えている。
【００２０】
好ましい実施形態によれば、ネットワークデータは、移動国コード(country code)及び移動ネットワークコードを含む。この例では、ホームネットワークデータは、移動国コードＭＣＣ及び移動ネットワークコードＭＮＣを含む。
【００２１】
又、ＩＭＳは、ＩＰマルチメディアサブシステムＩＭＳへアクセスする加入者にサービスをオファーする少なくとも１つのアプリケーションサーバーＡＳも備えている。
【００２２】
ホーム加入者サービング手段ＨＳＳは、ユーザ識別、ナンバリング、アドレッシング、セキュリティ、位置管理、及びユーザプロフィール情報のような加入者関連データを記憶する。ホームサービング手段ＨＳＳは、ＨＬＲ要素、例えば、加入者データ及び認証データ、位置レジスタのような新たなファンクション、ＩＭＳ契約及び認証データを含み、これらは、ユーザ移動性サーバー（ＵＭＳ）と称される。
【００２３】
ＩＭＳネットワークに２つ以上のＨＳＳが存在するときに加入者ＵＥの加入者データを記憶するＨＳＳを得るために、ＩＭＳネットワークに契約ロケータファンクションＳＬＦデータベースを設けることができる。
【００２４】
好ましい実施形態によれば、コール状態制御ファンクション手段ＣＳＣＦは、アクセスエンティティＰ−ＣＳＣＦ、制御エンティティＩ−ＣＳＣＦ、及びサービングエンティティＳ−ＣＳＣＦを備えている。
【００２５】
アクセスエンティティＰ−ＣＳＣＦは、ＳＩＰメッセージをユーザＵＥから他のコール状態制御ファンクション手段ＣＳＣＦへ転送する役割を果たす。アクセスエンティティＰ−ＣＳＣＦは、アクセスネットワークＡＮからＩＰマルチメディアサブシステムＩＭＳに向かうエントリーポイントであり、ユーザＵＥへのその割り当ては、ＩＰマルチメディアサブシステムＩＭＳへのアクセスを要求する移動ネットワークの構成により決定される。この技術で知られたように、ＵＭＴＳ／ＧＰＲＳのケースでは、Ｐ−ＣＳＣＦの割り当てがパケットデータプロトコルＰＤＰコンテクストアクチベーションにおいて行なわれる。
【００２６】
制御エンティティＩ−ＣＳＣＦは、ＨＳＳに記憶された情報に基づいて適当なサービングエンティティＳ−ＣＳＣＦを見つける。実際に、Ｉ−ＣＳＣＦの一次ファンクションは、ユーザが登録されるべきＳ−ＣＳＣＦを知るためにＨＳＳに問合せすることである。
【００２７】
サービングエンティティＳ−ＣＳＣＦは、登録、登録されたエンドポイントに対するセッション制御、ＩＭＳのサービスプラットホーム／アプリケーションサーバーとの対話、及びＨＳＳへのインターフェイスを遂行する。
【００２８】
通信セッションを確立するために、加入者ＵＥの移動ターミナルは、その移動ターミナルへの及びそこからのデータトラフィックの流れをサポートするパラメータを定義するＰＤＰコンテクストを発生する。
【００２９】
より詳細には、ＩＰマルチメディアサブシステムＩＭＳへ登録するためのレジスタメッセージは、加入者ＵＥのターミナルから、コール状態制御ファンクション手段ＣＳＣＦの少なくとも１つに送信される。
【００３０】
加入者ＵＥがＩＰマルチメディアサブシステムＩＭＳへのアクセスを希望するときには、アクセスネットワークＡＮを識別するアクセスネットワークデータがホームインターフェイスエンティティＨＧＧＳＮに設けられる。
【００３１】
その後、ホームインターフェイス手段ＨＧＧＳＮは、アクセスネットワークデータを含むＲＡＤＩＵＳメッセージのようなメッセージをホーム加入者サービング手段ＨＳＳに送信する。
【００３２】
その後、ホームネットワークデータ及びアクセスネットワークデータが比較され、加入者がローミングしているかどうか確認される。
【００３３】
比較結果が偽であり、即ちホームネットワークデータとアクセスネットワークデータが不一致であるときには、加入者ＵＥがアクセスネットワークＡＮをローミングしており、それ故、この方法では、１組の規定の基準に基づいて、加入者ＵＥがローミングを許されたかどうかチェックされる。
【００３４】
対照的に、比較結果が真であり、即ちホームネットワークデータがアクセスネットワークデータに一致するときには、加入者ＵＥがローミングしておらず、従って、それが通信するアクセスネットワークＡＮは、そのホームネットワークＨＮである。
【００３５】
チェックの結果が真であって、加入者がローミングを許されたときには、アクセスネットワークデータを含むメッセージがコール状態制御ファンクション手段ＣＳＣＦの少なくとも１つに送信される。
【００３６】
対照的に、チェックの結果が偽であって、加入者がローミングを許されないときには、加入者ターミナルにエラーメッセージが送信される。
【００３７】
好都合なことに、ホームネットワークデータ及びアクセスネットワークデータは、少なくとも各々の移動国コードＭＣＣ、ＭＣＣ’を含む。このケースでは、移動国コードＭＣＣ、ＭＣＣ’が異なるときに、比較の結果が偽となる。
【００３８】
更に好都合なことに、ホームネットワークデータ及びアクセスネットワークデータは、各々の移動ネットワークコードＭＮＣ、ＭＮＣ’を含む。このケースでは、移動国コードＭＣＣ、ＭＣＣ’が一致し且つ移動ネットワークコードＭＮＣ、ＭＮＣ’が異なるときでも、比較の結果が偽である。
【００３９】
移動国コードは、例えば、それらが異なる場合には、加入者ＵＥがローミングしているかどうか確立するのに充分である。しかしながら、加入者ＵＥがローミングしている特定のアクセスネットワークＡＮを知るためには、国コードＭＣＣ及びネットワークコードＭＮＣの両方が必要となる。というのは、同じネットワークコードＭＮＣが異なる国々に使用されることがあり、他方、各国に多数の異なるネットワークが存在し得るからである。
【００４０】
アクセスネットワークデータＭＣＣ’、ＭＮＣ’を、許可されたアクセスネットワークデータの規定リスト、例えば、加入者のホームネットワークオペレータのパートナーであるオペレータに対応するアクセスネットワークデータのリストと比較することにより、チェックが行われるのが好ましい。
【００４１】
アクセスネットワークデータＭＣＣ’、ＭＮＣ’は、ホーム加入者サービング手段ＨＳＳに記憶されてもよい。
【００４２】
好ましい実施形態によれば、ホームインターフェイスエンティティＨＧＧＳＮは、アクセスネットワークＡＮのサービングサポートエンティティＳＧＳＮから移動国コードＭＣＣ’及び移動ネットワークコードＭＮＣ’のようなアクセスネットワークデータを受け取る。
【００４３】
或いは又、ホームインターフェイスエンティティＨＧＧＳＮは、複数のＩＰアドレスＩＰn及びそれに対応する複数のネットワークデータＭＣＣn、ＭＮＣnを記憶するための記憶手段（図示せず）を備えている。このケースでは、ホームインターフェイスエンティティＨＧＧＳＮは、サービングサポートエンティティＳＧＳＮのＩＰ＿ＡＮアドレスを受け取り、そしてこのようなＩＰアドレスＩＰ＿ＡＮにアクセスネットワークデータＭＣＣ’、ＭＮＣ’を関連付ける。
【００４４】
例えば、サービングサポートエンティティＳＧＳＮのＩＰアドレスＩＰ＿ＡＮにコードＭＣＣ’及びＭＮＣ’の対応対を関連付けるためにマッピングテーブルがホームインターフェイスエンティティＨＧＧＳＮに設けられてもよい。ＭＣＣ’及びＭＮＣ’コードを送信しないことが知られている所与のオペレータの全てのローミングパートナーに対して、マッピングテーブルには、ＩＰサブネット、並びにそれに対応するＭＣＣ’及びＭＮＣ’コードより成る行がある。
【００４５】
アクセスネットワークデータＭＣＣ、ＭＮＣは、例えば、３ＧＰＰ−ＳＧＳＮ−ＭＣＣ−ＭＮＣ属性値対（ＡＶＰ）のような適当なＲＡＤＩＵＳ属性内で搬送されてもよい。
【００４６】
初期のＩＭＳセキュリティの場合には、ホームインターフェイスエンティティＨＧＧＳＮからサービング手段ＨＳＳに送信されるメッセージは、ＩＭＳＩ（国際移動加入者識別子）／ＩＰアドレスセキュリティバインディングを送信するのに使用される同じＲＡＤＩＵＳメッセージである。
【００４７】
好ましい実施形態によれば、加入者ＵＥが通信している移動ネットワークＡＮのサービングサポートエンティティＳＧＳＮは、ＭＣＣ’及びＭＮＣ’コードを、例えば、ＧＴＰメッセージによりホームインターフェイスエンティティＨＧＧＳＮに送信する。
【００４８】
アクセスネットワークデータＭＣＣ’、ＭＮＣ’を含むＲＡＤＩＵＳメッセージは、ホーム加入者手段ＨＳＳ、特に、ＵＭＳレジスタに到達し、ここには２つのコードＭＣＣ’、ＭＮＣ’が記憶されている。アクセスネットワークデータ又はローミング情報ＭＣＣ’及びＭＮＣ’は、ＩＭＳＩ又はＭＳＩＳＤＮのような加入者ＵＥのユーザアイデンティティデータに関連して、ＨＳＳ、特に、ＵＭＳに記憶されるのが好ましい。
【００４９】
その後、上述したように、ホームネットワークデータＭＣＣ、ＭＮＣ及びアクセスネットワークデータＭＣＣ’、ＭＮＣ’の比較に基づくと共に、１組の規定の基準に基づいて、ホーム加入者サービング手段ＨＳＳは、ＩＰマルチメディアサブシステムＩＭＳへの加入者ＵＥのアクセスを許可又は拒絶し、そしてその情報を、Ｃｘインターフェイスのようなインターフェイスを経て、又は他の同等の手段により、サービングエンティティＳ−ＣＳＣＦに送信する。
【００５０】
より詳細には、移動ネットワークＡＮにおいて通信している加入者ＵＥに対してサービング手段ＨＳＳに記憶されたローミング情報ＭＮＣ’及びＭＣＣ’が、ＩＰマルチメディアサブシステムＩＭＳのホームネットワークのＭＮＣ及びＭＣＣコードと異なる場合には、サービング手段ＨＳＳは、加入者ＵＥが訪問先ネットワーク、即ちアクセスネットワークＡＮをローミングしていることを確認する。この場合には、サービング手段ＨＳＳは、加入者ＵＥにローミングが許されたかどうかチェックし、そしてローミングが許された場合には、加入者ＵＥがアクセスネットワークＡＮをローミングすることが許されたかどうかチェックする。
【００５１】
加入者ＵＥ１がローミングしている場合に、加入者のアイデンティティデータと、ローミング情報ＭＣＣ’、ＭＮＣ’により識別される特定の移動ネットワークＡＮとに基づき、ＩＰマルチメディアサブシステムＩＭＳへの許可を特定の加入者ＵＥに対して許すか又は拒絶するための付加的な構成体が設定されてもよい。
【００５２】
認証許可アカウンティング（ＡＡＡ）サーバー、又はダイアメータ・トランスレーション(Diameter translation)エージェント、或いはホームインターフェイスエンティティＨＧＧＳＮとサービング手段ＨＳＳとの間でダイアメータ・トランスレーションエージェントとして働くＡＡＡサーバーがあってもよいことに注意されたい。
【００５３】
サービングエンティティＳ−ＣＳＣＦは、P-Visited-Network-Id（Ｐ−訪問先ネットワーク−Ｉｄ）ヘッダのような適当なヘッダを使用して、ＩＭＳコアエンティティ、及び考えられる信頼性あるアプリケーションサーバー、例えば、アプリケーションサーバーＡＳ内においてローミング情報ＭＣＣ及びＭＮＣを伝播させる。
【００５４】
このように、全てのＩＭＳコアエンティティは、オンライン課金及びオフライン課金の両方について、発生される課金情報にＭＣＣ及びＭＮＣコードを含む。
【００５５】
図２は、初期のＩＭＳセキュリティが使用されたホームＧＧＳＮモデルに対して本発明の方法を適用するところを示す。
【００５６】
第１に、ＨＳＳは、ユーザ許可要求（ＵＡＲ）メッセージを受信したときに加入者ＵＥにローミングが許されるかどうかチェックする。加入者ＵＥにローミングが許されない場合、又は移動ネットワークＡＮにおいてローミングすることが許されない場合には、ＨＳＳは、“DIAMETER_ERROR_ROAMING_NOT_ALLOWED”のようなエラーコードを含むユーザ許可応答（ＵＡＡ）であるエラーメッセージを送信することにより許可要求を拒絶する。
【００５７】
このチェックは、加入者ＵＥの契約に対しＨＳＳに記憶されたローミング情報ＭＣＣ’及びＭＮＣ’、即ちホームインターフェイスエンティティＨＧＧＳＮから受け取ったＭＣＣ’及びＭＮＣ’に基づいて行なわれる。
【００５８】
従って、加入者ＵＥのＩＭＳアクセス及び登録は、単にローミング状態に基づいて、又はローミングが許されたネットワークのリストに基づいて、受け容れられ又は却下されてもよい（許可され／拒絶又は不許可とされてもよい）ことになる。
【００５９】
ホームＧＧＳＮローミングモデルがＨＳＳにおいてアクティブであり、且つローミング情報ＭＣＣ’及びＭＮＣ’が加入者の初期ＩＭＳ登録において得られない場合、例えば、ローミング情報がホームインターフェイスエンティティＨＧＧＳＮから受け取られない場合には、オペレータは、コンフィギュレーションパラメータに基づいて加入者ＵＥのＩＭＳ登録を受け容れるべきか拒絶すべきか判断することができる。
【００６０】
ＳＡＲメッセージがＨＳＳから受け取られたときに、ローミング情報ＭＣＣ’及びＭＮＣ’がＨＳＳに記憶されて使用できる場合には、ＨＳＳは、そのローミング情報ＭＣＣ’及びＭＮＣ’をＳＡＡメッセージにおいてＳ−ＣＳＣＦに送信する。
【００６１】
又、ローミング情報ＭＣＣ’及びＭＮＣ’は、３ＧＰＰ  ＴＳ  ２９．０６１に定義された３ＧＰＰ特定ＲＡＤＩＵＳ属性から導出された３ＧＰＰ−ＳＧＳＮ−ＭＣＣ−ＭＮＣ内において、又は他の適当な属性内において送信されてもよい。
【００６２】
ローミング情報ＭＣＣ’及びＭＮＣ’がＨＳＳから受け取られる場合に、Ｓ−ＣＳＣＦが、例えば、ＲＥＧＩＳＴＥＲ（登録）メッセージのようなメッセージの２００ＯＫにおいて、例えば、P-Visited-Network-Idヘッダのような適当なヘッダをポピュレートする。
【００６３】
加入者ＵＥへの経路におけるＩＭＳエンティティＩ−ＣＳＣＦ及びＰ−ＣＳＣＦは、このローミング情報ＭＣＣ’及びＭＮＣ’を記憶し、ＩＰマルチメディアサブシステムＩＭＳの全てのエンティティが加入者ＵＥのローミング状態に気付くようにする。
【００６４】
アクセスエンティティＰ−ＣＳＣＦは、加入者ＵＥへメッセージを送信する前に、ローミング情報ＭＣＣ’及びＭＮＣ’の搬送に使用されるP-Visited-Network-Idヘッダ又は他のP-Header（Ｐ−ヘッダ）を剥離する。P-Visited-Network-Idヘッダは、次のようなＭＮＣ及びＭＣＣのドット分離型連結としてポピュレートされてもよい：ｍｎｃ＜ＭＮＣ＞．ｍｃｃ＜ＭＣＣ＞．３ｇｐｐｎｅｔｗｏｒｋ．ｏｒｇ。
【００６５】
以下に詳細に述べるように、アクセスエンティティＰ−ＣＳＣＦは、登録事象に対する通知内においてローミング情報ＭＮＣ’及びＭＣＣ’を受け取る。
【００６６】
サービングエンティティＳ−ＣＳＣＦは、信頼性のあるＡＳに送信される第三者ＲＥＧＩＳＴＥＲメッセージにおいてローミング情報ＭＣＣ’及びＭＮＣ’を搬送するのに適したP-Visited-Network-Idヘッダ又は他のP-Headerを含む。
【００６７】
より詳細には、アプリケーションサーバーＡＳがローミング状態の変更を受け取るのに関心がある場合には、登録事象パッケージに契約してもよい。この場合に、ローミング情報ＭＮＣ’及びＭＣＣ’は、ＮＯＴＩＦＹ（通知）要求に含まれたP-Visited-Network-Idヘッダ又は他の適当なP-Headerにおいて搬送される。ＡＳは、ＮＯＴＩＦＹの本体内に指示された登録されたパブリックユーザ識別子に関連した受信したローミング情報ＭＮＣ’及びＭＣＣ’を記憶する。
【００６８】
サービングエンティティＳ−ＣＳＣＦ又はＩＰマルチメディアゲートウェイ（ＩＰ−ＧＷ）は、オンライン課金要求を発生するときにローミング情報ＭＣＣ’及びＭＮＣ’を含む。
【００６９】
コールセッション制御ファンクション手段ＣＳＣＦは、オフライン課金要求又は課金データレコード（ＣＤＲ）を発生するとき、ローミング情報ＭＮＣ’及びＭＣＣ’を含む。
【００７０】
例えば、加入者ＵＥがそのローミング状態を変更したために、ＨＳＳが新たなローミング情報ＭＮＣ’及びＭＣＣ’を受け取る場合に、ＨＳＳは、その新たなローミング情報ＭＮＣ’及びＭＣＣ’を例えば３ＧＰＰ−ＳＧＳＮ−ＭＣＣ−ＭＮＣ属性内に含むPush-Profile-Request（プッシュ・プロフィール・要求）（ＰＰＲ）を送信することにより、Ｓ−ＣＳＣＦを更新する。
【００７１】
Ｓ−ＣＳＣＦは、この属性の受信を加入者ＵＥの登録状態の変更と考え、そしてアプリケーションサーバーＡＳ、及びＩＭＳの他の許可されたエンティティ、例えば、登録事象パッケージに契約したＰ−ＣＳＣＦへの通知を開始する。
【００７２】
Ｓ−ＣＳＣＦは、ローミング状態の変更を、それが発生するオフライン課金要求又はＣＤＲに記録してもよいし、或いは新たなローミング情報ＭＮＣ’及びＭＣＣ’を含むＲｆインターフェイスのような適当なインターフェイスのアカウンティング要求（ＡＣＲ）をトリガーしてもよい。
【００７３】
オンライン課金が加入者に対して遂行される場合には、Ｓ−ＣＳＣＦは、新たなローミング情報ＭＮＣ’及びＭＣＣ’を、ローミング状態の変更まで消費される割り当て量のような使用単位と一緒に、ＯＣＳ（？）へ報告してもよい。
【００７４】
最終的に、Ｐ−ＣＳＣＦ及びＡＳのような登録事象に対して加入者は、ローミング状態の変更の通知を受け取り、そして既に記憶されているローミング情報ＭＮＣ’及びＭＣＣ’を、ローミング情報を搬送できる最後に受信されたP-Visited-Network-Idヘッダ又は他の適当なP-Headerに含まれた新たなローミング情報ＭＮＣ’及びＭＣＣ’に置き換える。上述した手順の結果として、３ＧＰＰ  ＴＳ  ２９．２２９に定義されたＳＡＡ及びＰＰＲコマンドに、ローミング情報ＭＮＣ及びＭＣＣが追加される。
【００７５】
しかしながら、他の適当な属性を使用して、ローミング情報ＭＮＣ’及びＭＣＣ’を搬送してもよい。
【００７６】
以上の説明から、当業者に明らかなように、ここに述べる方法及びシステムの実施形態は、ＩＭＳエンティティが、ローミング状態に気付くと共に、ＩＭＳネットワークへのアクセスを要求している加入者がどのネットワークに位置しているかにも気付くことができるようにする。
【００７７】
更に、ここに述べる解決策は、ローミング情報がＩＭＳエンティティ内を伝播すると共に、ＩＭＳのサービスレイヤに存在するアプリケーションサーバーへと伝播するのを許し、これにより、ＩＭＳネットワークの全ての当該エンティティがローミングに気付くことを保証する。
【００７８】
ＩＭＳがローミングに気付くようになると、ローミング状態に基づき、そして結局は、加入者が現在位置する訪問先ネットワークに基づき、ユーザがＩＭＳ及びＩＭＳサービスにアクセスするのを許可することができる。
【００７９】
最終的に、ＩＭＳの最上部に展開される全てのサービスに対して、ローミング情報に基づく差別的課金が可能となる。更に、上述したように、本発明は、オンライン課金方法及びオフライン課金方法の両方に作用する。
【００８０】
本発明は、ＩＭＳネットワーク及びそのエンティティにローミングについて気付かせるための上述した本発明の特定の方法を実施すること以外、ＩＭＳネットワーク内に特定の専有ノード又はファンクションを必要とせずに、標準的なＩＭＳネットワークを使用することを許す。それ故、本発明による解決策は、ローミングパートナーネットワークからのサポートを必要とせずに、既存のＩＭＳネットワークにおいて実施し且つそれに一体化することができる。
【００８１】
好ましい実施形態を参照して本発明を説明したが、この説明は、本発明を例示するものに過ぎず、本発明を何ら限定するものではない。当業者であれば、特許請求の範囲に規定された本発明の範囲から逸脱せずに、種々の変更や応用がなされるであろう。
【図面の簡単な説明】
【００８２】
【図１】本発明の方法により加入者ターミナルとＩＰマルチメディアサブシステムＩＭＳとの間の通信を許す通信システムの要素を概略的に示す。
【図２】加入者ターミナルに対してＩＰマルチメディアサブシステムＩＭＳへのアクセスを与えるために図１の通信システムの要素間で交換されるデータを示す。
【図１】
2007251977.tif 000003
【図２】
2007251977.tif 000004
【外国語明細書】
2007251977.tif 000005
2007251977.tif 000006
2007251977.tif 000007
2007251977.tif 000008
2007251977.tif 000009
2007251977.tif 000010
2007251977.tif 000011
2007251977.tif 000012
2007251977.tif 000013
2007251977.tif 000014
2007251977.tif 000015
2007251977.tif 000016
2007251977.tif 000017
2007251977.tif 000018
2007251977.tif 000019
2007251977.tif 000020
2007251977.tif 000021
2007251977.tif 000022
2007251977.tif 000023
2007251977.tif 000024
2007251977.tif 000025
2007251977.tif 000026
2007251977.tif 000027
2007251977.tif 000028
2007251977.tif 000029